(57)【要約】【課題】  犬の糞を確実に処理でき、かつ、装着が簡単で犬の自由な運動を妨げない愛玩動物の糞処理具を提供する。【解決手段】  愛玩動物の糞処理具１０は、腰用ベルト２４を犬の腰部に装着し、２本の後脚用ベルト１８，２０を犬の左右の後脚にそれぞれ装着することにより、犬の腰部に装着できる。糞処理具１０の装着後、糞処理袋用取付部１４に設ける面ファスナー２６ａ，２６ｂと取付部１６に設ける面ファスナー２８に、糞処理袋１２の開口部３８に設ける面ファスナー４０ａ，４０ｂと４２とをそれぞれ係止して、糞処理具１０に糞処理袋１２を取り付ける。糞処理袋１２を取り付ける。これにより、糞を正確に糞処理袋１２に排泄させることができる。また、装着が簡単で犬の自由な運動を妨げることもない。【選択図】  図１
2008029334.tif 000002
【特許請求の範囲】
【請求項１】
愛玩動物の臀部に糞処理袋を取り付けるための糞処理具であって、前記愛玩動物の臀部の上部と下部に所定の長さの前記糞処理袋の取付部を備え、その取付部に前記糞処理袋の開口部を係止させる係止具を設けることを特徴とする愛玩動物の糞処理具。
【請求項２】
前記愛玩動物が尻尾を有する場合、前記愛玩動物の臀部の上部に備える糞処理袋の取付部に前記係止具を所定の間隔を空けて２つ設け、その取付部と前記糞処理袋との間に形成される隙間に愛玩動物の尻尾を通すようにしたことを特徴とする請求項１記載の愛玩動物の糞処理具。
【請求項３】
愛玩動物の左右の後脚にそれぞれ装着される２本の後脚用ベルトと、その後脚用ベルトを愛玩動物の腰部に固定するものであって愛玩動物の腰部に装着される腰用ベルトとを備え、前記２本の後脚用ベルトに前記糞処理袋の取付部を連結することを特徴とする請求項１又は請求項２記載の愛玩動物の糞処理具。
【請求項４】
前記腰用ベルトと前記愛玩動物の臀部の上部に備える糞処理袋の取付部に連結する当該取付部の位置決めベルトを備えることを特徴とする請求項３記載の愛玩動物の糞処理具。
【請求項５】
前記位置決めベルトに前記２本の後脚用ベルトを後脚に保持するためのベルト保持部を設けることを特徴とする請求項４記載の愛玩動物の糞処理具。
【請求項６】
前記隙間を形成する糞処理袋の開口部に切欠部を設けることを特徴とする請求項２乃至請求項５記載の愛玩動物の糞処理具。
【請求項７】
前記２本の後脚用ベルトと前記愛玩動物の臀部の下部に備える糞処理袋の取付部の連結部分のいずれか一方を着脱自在に設けることを特徴とする請求項３乃至請求項６記載の愛玩動物の糞処理具。
【請求項８】
前記糞処理袋を収納する収納袋を備えることを特徴とする請求項１乃至請求項７記載の愛玩動物の糞処理具。
【発明の詳細な説明】
【技術分野】
【０００１】
本発明は、犬や猫などの愛玩動物の糞を処理するための愛玩動物の糞処理具に関する。
【背景技術】
【０００２】
犬（愛玩動物）の飼い主は、犬を毎日散歩させるが、散歩の途中、糞の処理が必要となる。飼い主の多くは、糞を採り入れる糞処理袋（例えば、ビニール袋等）を携帯し、糞の処理を行っている。また、近年では、携帯用の採糞処理具が提供されている。
【０００３】
しかし、手で糞を処理するのは、飼い主にとって必ずしも好ましいことではなく、糞をきれいに処理することが困難な場合もあった。また、上記採糞処理具を携帯しながらの散歩は両手が塞がり不便であった。特に、雨天の場合、飼い主は、一方の手に引き綱、他方の手に傘を持たなければならないため、採糞処理具を携帯できない場合もあった。
よって、従来から、上記採糞処理具を携帯せずに、犬の散歩ができ、かつ、糞を確実に処理できる糞処理具が求められていた。
【０００４】
現在、上記要望に対し、犬の採糞処理具が提案されている（例えば、特許文献１）。
【特許文献１】特開平１０−６６４７０号（図２）
【発明の開示】
【発明が解決しようとする課題】
【０００５】
特許文献１の採糞処理具は、犬の体に着脱自在に装着できるものであって、糞収容袋を犬の肛門に対向させて取り付けられるものである。上記採糞処理具本体は１本のベルト状の装着具からなり、犬の腰部から左右の後脚（大腿部）に引っ掛けてかけて臀部を経て、当該装着具の両方の先端を首輪に係止して、犬の体に装着するものである。臀部の両側に装着されるベルト部分には、糞収容袋を取り付けるための係止具が複数備えられており、肛門に対向する位置に糞収容袋を取り付けられるようになっている。これにより、採糞処理具を携帯せずに散歩ができ、糞を直接糞収容袋に排泄させて確実に処理しようとするものである。
【０００６】
しかし、上記採糞処理具は、犬の体全体に装着するものであり、犬に装着する作業が面倒であるとう欠点があった。
【０００７】
また、上記採糞処理具は、犬の体全体（特に、犬の首）に装着されるものであり、犬の自由な運動を妨げ、犬が嫌がるものであったため、犬の装着具としては好ましくないという欠点があった。
【０００８】
本発明は、上述の問題を解決するために、愛玩動物の糞を確実に処理でき、かつ、装着が簡単で犬の自由な運動を妨げない愛玩動物の糞処理具を提供することを目的とするものである。
【課題を解決するための手段】
【０００９】
本発明の愛玩動物の糞処理具は、愛玩動物の臀部に糞処理袋を取り付けるための糞処理具であって、前記愛玩動物の臀部の上部と下部に所定の長さの前記糞処理袋の取付部を備え、その取付部に前記糞処理袋の開口部を係止させる係止具を設けるようにしたものである。
【００１０】
また、本発明の愛玩動物の糞処理具は、前記愛玩動物が尻尾を有する場合、前記愛玩動物の臀部の上部に備える糞処理袋の取付部に前記係止具を所定の間隔を空けて２つ設け、その取付部と前記糞処理袋との間に形成される隙間に愛玩動物の尻尾を通すようにしたものである。
また、愛玩動物の左右の後脚にそれぞれ装着される２本の後脚用ベルトと、その後脚用ベルトを愛玩動物の腰部に固定するものであって愛玩動物の腰部に装着される腰用ベルトとを備え、前記２本の後脚用ベルトに前記糞処理袋の取付部を連結するようにしたものである。
また、前記腰用ベルトと前記愛玩動物の臀部の上部に備える糞処理袋の取付部に連結する当該取付部の位置決めベルトを備えるようにしたものである。
また、前記位置決めベルトに前記２本の後脚用ベルトを後脚に保持するためのベルト保持部を設けるようにしたものである。
また、前記隙間を形成する糞処理袋の開口部に切欠部を設けるようにしたものである。
また、前記２本の後脚用ベルトと前記愛玩動物の臀部の下部に備える糞処理袋の取付部の連結部分のいずれか一方を着脱自在に設けるようにしたものである。
また、前記糞処理袋を収納する収納袋を備えるようにしたものである。
【発明の効果】
【００１１】
本発明の愛玩動物の糞処理具は、愛玩動物の腰部に装着するものである。これにより、犬の飼い主は糞処理具を携帯せず、手ぶらで犬の散歩ができるため、雨天の散歩においても散歩を楽しむことが可能になる。また、犬の体全体に装着するものではないため、犬の自由な運動が妨げられることはなく、犬にとって好ましい糞処理具となる。
【００１２】
また、本発明の愛玩動物の糞処理具は、愛玩動物の臀部の上部と下部に糞処理袋の取付部を備え、愛玩動物の肛門に糞処理袋の開口部を対抗させるようにしたものである。これにより、糞を糞処理袋に正確に排泄させることができる。
【００１３】
また、愛玩動物が尻尾を有する場合、愛玩動物の臀部の上部に備える糞処理袋の取付部に糞処理袋の係止具を所定の間隔を空けて２つ設け、当該取付部と糞処理袋との間に形成される隙間にその尻尾を通すことにより、糞処理袋の開口部を肛門に対向させるようにしたものである。これにより、糞を糞処理袋に正確に排泄させることができる。
【００１４】
また、本発明の愛玩動物の糞処理具は、愛玩動物の腰や後脚に装着するベルト状の装着具で形成されるものであるため、簡単に愛玩動物に装着できる。また、愛玩動物の臀部の上部と下部に備える糞処理袋の取付部に設ける糞処理袋の係止具を介して糞処理袋を取り付けるものであるため、糞処理袋の取り付け・取り外しが簡単にできる。また、糞処理具に取り外した糞処理袋を収納する収納袋を設けるものであるため、排泄物が入った糞処理袋を携帯する必要もなく、手ぶらで散歩することができる。
【発明を実施するための最良の形態】
【００１５】
本発明は、愛玩動物の飼い主が採糞処理具を携帯することなく、手ぶらで散歩に出かけることができるという目的を、糞を確実に処理し、かつ、愛玩動物の自由な運動を妨げずに実現するものである。
【実施例１】
【００１６】
本発明の愛玩動物の糞処理具を図に基づいて説明する。図１は、本発明の愛玩動物の糞処理具の実施形態を表すものであり、その平面図（表面）である。図２は、図１の背面図（裏面）である。図３は、本発明の愛玩動物の糞処理具に取り付ける糞処理袋の斜視図である。図４は、犬の臀部の上部に備える糞処理袋の取付部に糞処理袋を取り付ける状態を表す図である。図５は、糞処理具装着時の犬の腰部を表わす図である。図６は、糞処理具装着時の犬の臀部を表わす図である。図７は、図６の糞処理具に糞処理袋を取り付けた状態を表す図である。
なお、本実施例は、本発明の愛玩動物の糞処理具を尻尾のある犬に装着する場合の実施例である。
【００１７】
本発明の愛玩動物の糞処理具１０は、犬の腰部に装着するものであって、糞処理袋１２（図３）を取り付けて、散歩時に糞処理袋１２に糞を排泄させるものである。
本発明の愛玩動物の糞処理具１０は、装着時において、犬の臀部の上部と下部に配置される糞処理袋１２の取付部１４，１６と、犬の左右の後脚（大腿部）に装着される後脚用ベルト１８，２０と、犬の十字部に配置される十字部用ベルト２２と、犬の腰部に装着される腰用ベルト２４とを有するものである。取付部１４，１６はそれぞれ２本の後脚用ベルト１８，２０に連結され、後脚用ベルト１８，２０は腰用ベルト２４に連結され、十字部用ベルト２２は取付部１４と腰用ベルト２４に連結されている（図１及び図２）。
なお、上記糞処理具１０の構成部は、一連一体に形成されているものとし、また、その素材は、愛玩動物の体に密着する材質、例えばゴム製，布製などの柔軟で伸縮可能なものからなるものが好ましいが、これに限るものではない。
【００１８】
取付部１４，１６は、配置される犬の臀部（肛門の付近の肉づきの豊かな部分）の間隔（幅）とほぼ同じ長さに設定されている（図６）。その取付部１４，１６の両端は、左右の後脚に装着される２本の後脚用ベルト１８、２０にそれぞれ連結され固定されている（図１，図２及び図５乃至図６）。糞処理具１０を装着すると、後脚用ベルト１８、２０は、前記取付部１４，１６によって所定の間隔に保持された状態で、左右の後脚に装着される（図５乃至図６）。
また、取付部１４及び１６と左右２本の後脚用ベルト１８と２０の連結により、糞処理具１０に空間６４が形成される（図１，図２及び図６）。
【００１９】
前記取付部１４の裏面（図２）には、所定の間隔を空けて２つの面ファスナー（係止具）２６ａ，２６ｂが設けられている。一方、取付部１６の裏面（図２）には、面ファスナー（係止具）２８が設けられている。
上記係止具２６ａ，２６ｂ，２８の他に、空間６４を形成する後脚用ベルト１８，２０の表面に係止具６６ａ，６６ｂを設けてもよい。係止具６６ａ，６６ｂを設けることにより、糞処理袋１２の開口部を四方から支持することができるとともに、糞処理袋１２が糞の重量により外れ落下することを防止できる。なお、面ファスナー２６ａ，２６ｂ、２８は、取付部１６の表面に設けても良い。
上記係止具は、面ファスナーに限るものではない。糞処理袋１２の着脱が可能な他の係止部材であってもよい。例えば、バッグの開閉部に使用されているマグネットボタン（凹部を有するボタンと凸部を有するボタンとが係止する磁石からなる部材）を用いてもよい。
【００２０】
なお、尻尾を有しない犬に糞処理具１０を装着する場合は、２つの係止具２６ａ，２６ｂに代えて、１つの係止具（係止具２６ａ，２６を一連一体に形成したもの）を設けてもよい。
【００２１】
後脚用ベルト１８，２０は、腰用ベルト２４に引っ掛けた状態で又はその一部分を縫い付けた状態で腰用ベルト２４にそれぞれ連結されている。また、後脚用ベルト１８，２０の両端は開放された状態にある。後脚用ベルト１８，２０の両端の裏面には、面ファスナー（係止具）３０ａ，３０ｂ及び３２ａ，３２ｂが設けられている。後脚用ベルト１８，２０を後脚大腿部に巻き付け、面ファスナー（係止具）３０ａと３０ｂ、３２ａと３２ｂを係止させることによって、後脚に後脚用ベルト１８，２０を装着することができる（図５乃至図７）。また、腰用ベルト２４を装着すると、後脚用ベルト１８，２０は、腰用ベルト２４によって犬の腰部に固定される。
【００２２】
十字部用ベルト２２は、腰用ベルト２４と取付部１４に連結され、前記取付部１４を犬の臀部の上部に配置し固定するための前記取付部１４の位置決めベルトである（図５及び図６）。図５及び図６において、腰用ベルト２４及び後脚用ベルト１８，２０が装着された際、取付部１４は、十字部用ベルト２２によって肛門５８の上方（尻尾５４の上）に配置されるように支持（又は保持）されている。
【００２３】
腰用ベルト２４の両端には、面ファスナー（係止具）材んより、理袋１２が取り付けられる係止部材のることが可能な３４ａ，３４ｂが設けられている。腰用ベルト２４を犬の腰部に巻き付け、面ファスナー材んより、理袋１２が取り付けられる係止部材のることが可能な３４ａと３４ｂとを係止させることによって、腰部に腰用ベルト２４を装着する。大型犬に糞処理具１０を装着する場合は、後脚用ベルト１８，２０や腰用ベルト２４が容易に外れないようにするため、上記面ファスナーに代えて、テープ・バックルなどの係止具を用いる。
【００２４】
図３の糞処理袋１２は、その開口部３８の一辺３８ａの裏面に所定の間隔を空けて設ける２つの面ファスナー（係止具）４０ａ，４０ｂを備え、他の一辺３８ｂの裏面に面ファスナー（係止具）４２を備えるものである。また、開口部３８の一辺３８ａには、面ファスナー４０ａと４０ｂの間に所定の大きさの切欠部４４が形成されている。なお、上記面ファスナー４０ａ，４０ｂ、４２は、開口部３８の表面に設けても良い。
【００２５】
取付部１４に糞処理袋１２を取り付ける場合は、取付部１４の面ファスナー２６ａ，２６ｂに糞処理袋１２の開口部３８ａの面ファスナー４０ａ，４０ｂをそれぞれ係止させて取り付ける。取付部１４に糞処理袋１２を取り付けると、取付部１４の面ファスナーが設けられていない部分に取付部１４と糞処理袋１２の開口部３８ａとの間に隙間４６が形成される（図４及び図７）。取付部１６の面ファスナー２８には、糞処理袋１２の開口部３８ｂの面ファスナー４２を係止させる（図７）。
なお、糞処理袋１２に内袋を設けてもよい。内袋を設けることで糞処理袋１２を汚さずに使用できる。さらに、糞処理袋１２やその内袋をトイレに廃棄可能な素材で形成することにより、そのままトイレに流すことができ、糞の最終処理が容易となる。
【００２６】
また、取付部１４，１６の面ファスナー２６ａ，２６ｂ，２８に代えて、それらの面ファスナーの各位置に上例の１組のマグネットボタンを設けてもよい。この場合、その２つのボタンで糞処理袋１２の開口部３８を挟持することにより、取付部１４，１６に糞処理袋１２を取り付けることができる。糞処理袋１２の開口部３８に上記係止具４０，４２を設ける必要はなく、糞処理袋１２のコストの軽減が図れる。さらには、糞処理袋１２の取り付け・取り外しも簡単にできる。なお、上記マグネットボタンは、糞処理袋１２の取り付け・取り外しを容易にするため、取付部１６の表面に設ける。
【００２７】
次に、本発明の糞処理具１０の装着方法を図５乃至図７に基づいて説明する。
最初に、犬の十字部４７に十字部用ベルト２２を配置し、空間６４（図１及び図２）に犬の尻尾５４を通す。
次に、犬の腰部４８に腰用ベルト２４を巻き付け、面ファスナー３４ａと３４ｂ（図１又は図２）とを係止して装着する（図５）。
次に、後脚用ベルト１８，２０を左右の後脚５０ａ，５０ｂにそれぞれ巻き付け、それらの端部に設けた面ファスナー３０ａと３０ｂ並びに３２ａと３２ｂ（図１又は図２）を係止して装着する（図６）。このとき、糞処理具１０は犬の腰部４８から尻部５２にかけて装着される（図５及び図６）。
糞処理具１０の装着後、取付部１４，１６に糞処理袋１２を取り付ける。その取付の際、取付部１４と糞処理袋１２の開口部３８ａとの間に形成される隙間４６（図４）に犬の尻尾５４を通すように糞処理袋１２を取り付ける（図７）。
以上により、糞処理具１０の装着が完了する。
なお、糞処理袋１２を取り付けた後に、隙間４６に犬の尻尾５４を通してもよい。この場合、糞処理袋１２に切欠部４４を設けることにより、隙間４６に犬の尻尾５４を容易に通すことができる。
以上のように、本発明の糞処理具１０は、犬の腰部に簡単に装着できるものである。また、犬の体全体に装着されるものではないため、犬の自由な運動が妨げることはなく、犬が嫌がるものではない。
【００２８】
前記取付部１４は、十字部用ベルト２２によって犬の臀部の上部に配置され固定されており、取付部１４，１６に取り付けられた糞処理袋１２の開口部３８が臀部５６全体を覆うため、糞処理袋１２に糞を正確に排泄させることができ、犬の糞を確実に処理できる。
また、尻尾を有する犬に装着する場合であっても、取付部１４と糞処理袋１２の隙間４６に犬の尻尾５４を通すことにより（図７）、糞処理袋１２の開口部３８で尻尾５４の真下に位置する肛門５８を含む臀部５６全体を覆うことができる。これにより、肛門５８に対向する位置に糞処理袋１２の開口部３８を設けることができ、糞処理袋１２に糞を正確に排泄させ、犬の糞を確実に処理できる。
糞処理袋１２に糞が排泄された後は、取付部１４，１６から糞処理袋１２を取り外し、糞処理具１０を装着したまま（図６）、散歩させることができる。
【００２９】
十字部用ベルト２２（取付部１４の位置決めベルト）に後脚用ベルト１８，２０を後脚に保持（又は固定）するためのベルト保持部６０を設けても良い。これにより、後脚用ベルト１８，２０が散歩中に犬の後脚から外れることを防止できる。図１及び図２において、ベルト保持部６０と十字部用ベルト２２の交差部分は固定されている。
また、図８に示すように、ベルト保持部６０及び十字部用ベルト２２とを兼ねた後脚用ベルト１８，２０と取付部１４とを保持するベルト保持部６２を設けても良い。
【００３０】
本発明の糞処理具１０は、腰部４８に腰用ベルト２４を装着し、後脚５０ａ，５０ｂに後脚用ベルト１８，２０を装着して、愛玩動物の体に取り付けるものである。よって、糞処理具１０の装着をより簡単に行うため、その装着のための係止具として係止が容易なものを用いることが好ましい。糞処理具１０に係る腰用ベルト２４や後脚用ベルト１８，２０の係止具は、本実施例に挙げた面ファスナーやテープ・バックルに限定されるものではない。
また、糞処理具１０に伸縮可能な素材を用いることにより、糞処理具１０を犬の体に密着させた状態で取り付けることができる。これにより、犬の小水が上記各ベルト１８，２０，２４に及ぶことはなく、糞処理具１０が小水で汚れることを防止できる。
【００３１】
続いて、本発明の糞処理具の他の実施形態を図９及び図１０に基づいて説明する。図９は、本発明の糞処理具の他の実施形態を示す図であり、その平面図（表面）である。図１０は、本発明の糞処理具に備える糞処理袋を収納する収納袋を表わす図である。なお、図９及び図１０において、図１乃至図７に示す同一の参照番号に係る構成部は、図１乃至図７に示す構成部と同一であるため、その構成部の詳細な説明は省略する。
図９に示す糞処理具６８は、後脚用ベルト１８，２０に連結する取付部１６の連結部分１６ａ，１６ｂのいずれか一方を着脱自在に設けるものである。糞処理具１０では、その装着時に、犬の十字部４７に十字部用ベルト２２を配置し（図５）、空間６４（図１及び図２）に犬の尻尾５４を通す必要がある（図６）。しかしながら、犬の尻尾５４が大きい場合は、空間６４（図１及び図２）に通すことが容易でない場合がある。これに対し、糞処理具６８では、図９に示すように、取付部１６の連結部分１６ｂを開放した場合（取付部１６の連結部分１６ｂを後脚用ベルト２０から取り外した場合）、糞処理具１０の空間６４は形成されない。よって、取付部１６の連結部分１６ｂを開放した状態で糞処理具６８を装着する場合は、空間６４に犬の尻尾５４を通す必要がなく、糞処理具６８の装着を容易に行うことができる。
【００３２】
図９の糞処理具６８の装着方法は、犬の十字部４７に十字部用ベルト２２を配置する（図５）。次に、犬の腰部４８に腰用ベルト２４を装着し、後脚用ベルト１８，２０を左右の後脚５０ａ，５０ｂにそれぞれ装着する（図６）。糞処理具６８の装着後、開放されている取付部１６の連結部分１６ｂに設ける面ファスナー７０ｂを後脚用ベルト２０に設ける面ファスナー７０ａに係止して、後脚用ベルト２０に取付部１６を連結した後（図６）、取付部１４，１６に糞処理袋１２を取り付ける（図７）。
【００３３】
次に、本発明の糞処理具に備える糞処理袋を収納する収納袋について説明する。図９に示すように、十字部用ベルト２２に面ファスナー（係止具）７２を設け、その面ファスナー（係止具）７２を介して、十字部用ベルト２２上に糞処理袋１２を収納する収納袋７４を備える。収納袋７４は開口部７４ａを有し、その開口部７４から当該収納袋７４に糞処理袋１２を収納する。収納袋７４の開口部７４には、図示しないファスナーが設けられ、開口部７４を開閉できるようになっている。これにより、飼い主は散歩中に糞が排泄された糞処理袋１２を持ち歩く必要がなく、散歩を手ぶらで楽しむことが可能となる。
なお、収納袋７４の底部には、面ファスナー７２と係止する面ファスナーが設けられているものとする。また、係止具は面ファスナーに限定されるものではなく、他の取付手段であってもよい。さらに、取付場所も十字部用ベルト２２に限定されるものではなく、他のベルト等に取り付けてもよい。
【００３４】
本発明は、愛玩動物の糞処理具に関するものであるが、本願にいう「愛玩動物」は、犬、猫のような愛玩動物をはじめ、後脚で体を支持して排泄を行う動物一般を含む概念であり、上記実施例の犬に限定するものではない。
【図面の簡単な説明】
【００３５】
【図１】本発明の愛玩動物の糞処理具の一の実施形態を表すものであり、その平面図（表面）である。
【図２】図１の背面図（裏面）である。
【図３】糞処理袋の斜視図である。
【図４】犬の臀部の上部に備える糞処理袋の取付部に糞処理袋を取り付ける状態を表す図である。
【図５】糞処理具装着時の犬の腰部を表わす図である。
【図６】糞処理具装着時の犬の臀部を表わす図である。
【図７】図６の糞処理具に糞処理袋を取り付けた状態を表す図である。
【図８】他のベルト保持部を表すものである。
【図９】本発明の糞処理具の他の実施形態を示す図であり、その平面図（表面）である。
【図１０】本発明の糞処理具に備える糞処理袋を収納する収納袋を表わす図である。
【符号の説明】
【００３６】
１０，６８  糞処理具
１２  糞処理袋
１４，１６  取付部
１６ａ，１６ｂ  連結部分
１８，２０  後脚用ベルト
２２  位置決めベルト
２４  腰用ベルト
２６ａ，２６ｂ，２８  面ファスナー
３８  開口部
４４  切欠部
４６  隙間
６０，６２  ベルト保持部
６４  空間
７４  収納袋
【図１】
2008029334.tif 000003
【図２】
2008029334.tif 000004
【図３】
2008029334.tif 000005
【図４】
2008029334.tif 000006
【図５】
2008029334.tif 000007
【図６】
2008029334.tif 000008
【図７】
2008029334.tif 000009
【図８】
2008029334.tif 000010
【図９】
2008029334.tif 000011
【図１０】
2008029334.tif 000012
【手続補正書】
【提出日】平成19年11月30日(2007.11.30)
【手続補正１】
【補正対象書類名】特許請求の範囲
【補正対象項目名】全文
【補正方法】変更
【補正の内容】
【特許請求の範囲】
【請求項１】
尻尾を有する愛玩動物の臀部に糞処理袋を取り付けるための糞処理具であって、前記愛玩動物の臀部の上部と下部に所定の長さの前記糞処理袋の取付部を備え、その取付部に前記糞処理袋の開口部を係止させる係止具を設け、前記愛玩動物の臀部の上部に備える糞処理袋の取付部に前記係止具を所定の間隔を空けて２つ設け、その取付部と前記糞処理袋との間に形成される隙間に愛玩動物の尻尾を通すようにしたことを特徴とする愛玩動物の糞処理具。
【請求項２】
前記愛玩動物の左右の後脚にそれぞれ装着される２本の後脚用ベルトと、その後脚用ベルトを愛玩動物の腰部に固定するものであって愛玩動物の腰部に装着される腰用ベルトとを備え、前記２本の後脚用ベルトに前記糞処理袋の取付部を連結することを特徴とする請求項１記載の愛玩動物の糞処理具。
【請求項３】
前記腰用ベルトと前記愛玩動物の臀部の上部に備える糞処理袋の取付部に連結する当該取付部の位置決めベルトを備えることを特徴とする請求項２記載の愛玩動物の糞処理具。
【請求項４】
前記位置決めベルトに前記２本の後脚用ベルトを後脚に保持するためのベルト保持部を設けることを特徴とする請求項３記載の愛玩動物の糞処理具。
【請求項５】
前記隙間を形成する糞処理袋の開口部に切欠部を設けることを特徴とする請求項１乃至請求項４のうちいずれか一項記載の愛玩動物の糞処理具。
【請求項６】
前記２本の後脚用ベルトと前記愛玩動物の臀部の下部に備える糞処理袋の取付部の連結部分のいずれか一方を着脱自在に設けることを特徴とする請求項２乃至請求項５のうちいずれか一項記載の愛玩動物の糞処理具。
【請求項７】
前記糞処理袋を収納する収納袋を備えることを特徴とする請求項１乃至請求項６のうちいずれか一項記載の愛玩動物の糞処理具。
【手続補正２】
【補正対象書類名】明細書
【補正対象項目名】０００９
【補正方法】変更
【補正の内容】
【０００９】
本発明の愛玩動物の糞処理具は、尻尾を有する愛玩動物の臀部に糞処理袋を取り付けるための糞処理具であって、前記愛玩動物の臀部の上部と下部に所定の長さの前記糞処理袋の取付部を備え、その取付部に前記糞処理袋の開口部を係止させる係止具を設け、前記愛玩動物の臀部の上部に備える糞処理袋の取付部に前記係止具を所定の間隔を空けて２つ設け、その取付部と前記糞処理袋との間に形成される隙間に愛玩動物の尻尾を通すようにしたものである。
【手続補正３】
【補正対象書類名】明細書
【補正対象項目名】００１０
【補正方法】変更
【補正の内容】
【００１０】
また、本発明の愛玩動物の糞処理具は、前記愛玩動物の左右の後脚にそれぞれ装着される２本の後脚用ベルトと、その後脚用ベルトを愛玩動物の腰部に固定するものであって愛玩動物の腰部に装着される腰用ベルトとを備え、前記２本の後脚用ベルトに前記糞処理袋の取付部を連結するようにしたものである。
また、前記腰用ベルトと前記愛玩動物の臀部の上部に備える糞処理袋の取付部に連結する当該取付部の位置決めベルトを備えるようにしたものである。
また、前記位置決めベルトに前記２本の後脚用ベルトを後脚に保持するためのベルト保持部を設けるようにしたものである。
また、前記隙間を形成する糞処理袋の開口部に切欠部を設けるようにしたものである。
また、前記２本の後脚用ベルトと前記愛玩動物の臀部の下部に備える糞処理袋の取付部の連結部分のいずれか一方を着脱自在に設けるようにしたものである。
また、前記糞処理袋を収納する収納袋を備えるようにしたものである。